(57)【要約】【課題】従来よりも意外性のある動きを遠隔制御走行玩具にさせて遊ぶことができる遠隔制御走行玩具を用いた遊戯玩具装置を提供する。【解決手段】１つの前輪５と２つの後輪７，９を有して遠隔制御信号により遠隔制御される遠隔制御走行玩具１を遊戯盤の走行面上で走行させて遊ぶ遊戯玩具装置である。遠隔制御走行玩具１の２つの後輪７，９の直径寸法を異ならせる。後輪７，９の直径寸法を異ならせた上で、前輪５を一輪にすると、走行面の状態に応じて今までには体験したことのない意外性のある動きを遠隔制御走行玩具１に行わせることができる。【選択図】図２
2004313751.tif 000002
【特許請求の範囲】
【請求項１】
遠隔制御信号を出力する遠隔制御装置と、
１つの前輪と２つの後輪を有して前記遠隔制御信号により遠隔制御される電動モータを備えた遠隔制御走行玩具と、
走行面上を前記遠隔制御走行玩具が走行する遊戯盤とを備えた遠隔制御走行玩具を用いた遊戯玩具装置であって、
前記遠隔制御走行玩具の前記２つの後輪の直径寸法が異なることを特徴とする遠隔制御走行玩具を用いた遊戯玩具装置。
【請求項２】
前記遠隔制御装置は、通常の速度で電動モータを回転させる信号を出力する際に操作されるスイッチと、前記通常の速度よりも速い速度で前記電動モータを回転させる加速信号を出力する際に操作される加速スイッチとを備えている請求項１に記載の遠隔制御走行玩具を用いた遊戯玩具装置。
【請求項３】
前記遠隔制御走行玩具は、
前記電動モータと該電動モータに接続される１以上のバッテリが車体に搭載され、
前記１以上のバッテリはその長軸が、前記車体の前後方向に延びる車体の中心線と交差するように横置き配置された構造を有することを特徴とする請求項１に記載の遠隔制御走行玩具を用いた遊戯玩具装置。
【請求項４】
前記遠隔制御走行玩具は、
前記２つの後輪の間に前記電動モータが配置され、
前記電動モータと前記前輪との間に前記１以上のバッテリが配置され、
前記１以上のバッテリはその長軸が、前記２つの後輪が並ぶ方向と同じ方向に向かって延びるように横置き配置された構造を有することを特徴とする請求項１に記載の遠隔制御走行玩具を用いた遊戯玩具装置。
【請求項５】
前記遊戯盤は、前記走行面が周方向に連続し且つ中央部に向かうに従って設置面からの高さが低くなる形状を有しており、
前記中央部には前記前輪及び／または前記後輪が完全に入り得る大きさを有し且つ前記遠隔制御走行玩具が自力で脱出可能な深さを有する凹部が形成されていることを特徴とする請求項１に記載の遠隔制御走行玩具を用いた遊戯玩具装置。
【請求項６】
前記凹部の内周面と前記設置面との間の角度が９３±１°の角度である請求項５に記載の遠隔制御走行玩具を用いた遊戯玩具装置。
【請求項７】
前記走行面の主要部が、前記凹部に隣接して第１の曲率半径を有する第１の傾斜面と、前記第１の傾斜面の外側に連続して曲率半径が無限大に近い第２の曲率半径を有する第２の傾斜面とからなり、
前記第２の傾斜面の前記設置面からの角度が３２．２°〜４２．２°の範囲にあることを特徴とする請求項５または６に記載の遠隔制御走行玩具を用いた遊戯玩具装置。
【請求項８】
前記走行面は、前記凹部に隣接して第１の曲率半径を有する第１の傾斜面と、前記第１の傾斜面の外側に連続して曲率半径が無限大に近い第２の曲率半径を有する第２の傾斜面と、前記第２の傾斜面の外側に連続して曲率半径が前記第１の曲率半径よりも小さい第３の曲率半径を有する第３の傾斜面と、前記第３の傾斜面の外側に連続して曲率半径が前記第３の曲率半径よりも小さい第４の曲率半径を有する第４の傾斜面とを有し、
前記第２の傾斜面、前記第１の傾斜面、前記第３の傾斜面、前記第４の傾斜面の順に幅寸法が小さく、
前記第２の傾斜面の前記設置面からの角度が３２．２°〜４２．２°の範囲にあることを特徴とする請求項５または６に記載の遠隔制御走行玩具を用いた遊戯玩具装置。
【請求項９】
前記第３の傾斜面と前記設置面との間の角度が４８±２°の角度範囲にあり、
前記第４の傾斜面と前記設置面との間の角度が８９±１°の角度範囲にある請求項８に記載の遠隔制御走行玩具を用いた遊戯玩具装置。
【請求項１０】
前記第４の傾斜面の外側にほぼ水平な水平面がある請求項９に記載の遠隔制御走行玩具を用いた遊戯玩具装置。
【請求項１１】
前記前輪は角度の設定変更が可能であり、
角度の設定変更が可能な前記前輪と前記遊戯盤との間の動摩擦抵抗が前記後輪と前記遊戯盤との間の動摩擦抵抗よりも小さくなるように、前記前輪及び前記後輪の輪部が形成されている請求項１に記載の遠隔制御走行玩具を用いた遊戯玩具装置。
【請求項１２】
前記前輪の輪部は低密度ポリエチレンと高密度ポリエチレンとを含有するエチレン重合体から形成されていることを特徴とする請求項１に記載の遠隔制御走行玩具を用いた遊戯玩具装置。
【請求項１３】
前記エチレン重合体中の前記低密度ポリエチレンの含有量が３０重量パーセント以下である請求項１２に記載の遠隔制御走行玩具。
【請求項１４】
１つの前輪と２つの後輪を有する遠隔制御走行玩具であって、
前記２つの後輪の直径寸法が異なることを特徴とする遠隔制御走行玩具。
【請求項１５】
１つの前輪と２つの後輪を有し、１以上のバッテリを電源として電動モータを駆動する遠隔制御走行玩具であって、
前記後輪の２つの車輪の直径寸法が異なり、
前記電動モータと該電動モータに接続される１以上のバッテリが車体に搭載され、
前記１以上のバッテリはその長軸が、前記車体の前後方向に延びる車体の中心線と交差するように横置き配置された構造を有することを特徴とする遠隔制御走行玩具。
【請求項１６】
前記前輪は角度の設定変更が可能であり、
角度の設定変更が可能な前記前輪と設置面との間の動摩擦抵抗が前記後輪と前記設置面との間の動摩擦抵抗よりも小さくなるように、前記前輪の輪部及び前記後輪の輪部が形成されている請求項１４または１５に記載の遠隔制御走行玩具。
【請求項１７】
前記前輪の輪部は低密度ポリエチレンと高密度ポリエチレンとを含有するエチレン重合体から形成されていることを特徴とする請求項１６に記載の遠隔制御走行玩具。
【請求項１８】
前記エチレン重合体中の前記低密度ポリエチレンの含有量が３０重量パーセント以下である請求項１７に記載の遠隔制御走行玩具。
【請求項１９】
走行面上を遠隔制御走行玩具が走行する遊戯盤であって、
前記走行面が周方向に連続し且つ中央部に向かうに従って設置面からの高さが低くなる形状を有しており、
前記中央部には前記前輪及び／または前記後輪が完全に入り得る大きさを有し且つ前記遠隔制御走行玩具が自力で脱出可能な深さを有する凹部が形成されていることを特徴とする遊戯盤。
【発明の詳細な説明】
【技術分野】
【０００１】
本発明は、遠隔制御走行玩具を用いた遊戯玩具装置、遠隔制御走行玩具及び遊戯盤に関するものである。
【背景技術】
【０００２】
従来より遠隔制御可能な走行玩具を競争させて遊ぶ遊戯玩具装置が知られている。また特開２００２−９６２号公報には、遊戯盤の走行面上に遠隔制御可能なコマ玩具を走行させ、相手のコマ玩具を遊戯盤の外に弾き出したり、相手のコマ玩具をひっくり返して遊ぶ遊戯玩具装置が開示されている。そして実用新案登録第３０９２０８０号公報には中央部に磁石を入れる複数の凹部を備えたコマ玩具用の遊戯盤の一例が開示されている。
【特許文献１】特開２００２−９６２号公報
【特許文献２】実用新案登録第３０９２０８０号公報
【発明の開示】
【発明が解決しようとする課題】
【０００３】
従来のように、単に遠隔制御の走行玩具を競争させて遊ぶだけでは、走行玩具が意外性のある動きをすることがないため、遊戯者の興味を高めることができない。また特開２００２−９６２号公報に記載の遊戯玩具装置のように、走行玩具が軸を中心にして回転するコマ玩具の場合、意外性のある動きをさせるためには、実用新案登録第３０９２０８０号に示される遊戯盤のように永久磁石等を用いてコマ玩具の進路を変更させたり、実用新案登録第３０８２４６９号に示された遊戯盤のように回動板等の特別な設備を備えた遊戯盤を用いる必要がある。またコマ玩具では、走行玩具のスピードの増減を急激に行うことができず、スピード感を得ることが難しい。
【０００４】
本発明の目的は、従来よりも意外性のある動きを遠隔制御走行玩具にさせて遊ぶことができる遠隔制御走行玩具を用いた遊戯玩具装置を提供することにある。
【０００５】
本発明の他の目的は、遠隔制御走行玩具が転倒またはひっくり返り難く、安定して遊ぶことができる遠隔制御走行玩具を用いた遊戯玩具装置を提供することにある。
【０００６】
本発明の別の目的は、スピードを増大させても十分に制御が可能な遠隔制御走行玩具を用いた遊戯玩具装置を提供することにある。
【０００７】
本発明の更に他の目的は、速度の加減速だけでも遠隔制御走行玩具に十分に意外性のある動きをさせることができる遠隔制御走行玩具を用いた遊戯玩具装置及び遊戯盤を提供することにある。
【０００８】
本発明の別の目的は、動きに意外性のある遠隔制御走行玩具を提供することにある。
【課題を解決するための手段】
【０００９】
本発明の遠隔制御走行玩具を用いた遊戯玩具装置は、遠隔制御信号を出力する遠隔制御装置と、１つの前輪と２つの後輪を有して遠隔制御信号により遠隔制御される電動モータを備えた遠隔制御走行玩具と、走行面上を遠隔制御走行玩具が走行する遊戯盤とを備えている。本発明においては、遠隔制御走行玩具の２つの後輪の直径寸法を異ならせた。後輪の直径寸法を異ならせた上で、前輪を一輪にすると、走行面の状態に応じて今までには体験したことのない意外性のある動きを遠隔制御走行玩具に行わせることができる。そのため単なる遠隔制御と比べて、制御が可能であるにも拘わらず意外性の高い動きを遠隔制御走行玩具に行わせて遊ぶことができる。特に、相手の走行玩具と戦うときだけでなく、相手の玩具から逃げる場合でも、この意外性を積極的に利用すれば、スリルに溢れた遊びを体験することができる。
【００１０】
遠隔制御走行玩具が意外性のある動きをするため、細かい制御はかえって制御性を低下させる原因になるだけでなく、スピードアップの障害になる。そこで、遠隔制御装置は、通常の速度で電動モータの回転させる信号を出力する際に操作されるスイッチと、通常の速度よりも速い速度で電動モータを回転させる加速信号を出力する際に操作される加速スイッチとを備えたシンプルなものが適している。このようなシンプルな遠隔制御装置を用いる場合には、ゲーム開始前に前輪をどのような角度に設定するかが、後の制御に大きく影響するので、前輪の角度の設定も遊びの一部となり、遊戯者の興味を更に高めることができる。
【００１１】
２つの後輪の直径寸法を異ならせると、車体が傾くため、走行する角度によっては転倒したりひっくり返り易くなる。そこで電動モータを搭載した車体には、この電動モータに接続された１以上のバッテリを、その軸が２つの後輪が並ぶ方向と同じ方向に向かって延びるように横置きに配置するのが好ましい。言い換えると、バッテリは車体の前後方向に延びる中心線と交差する方向にその長軸が延びるように配置するのが好ましい。このようにすると重心が低くなるだけでなく、車体の横方向の動きに対して安定した動作が得られる。したがって遊戯盤の走行面の傾斜が急であっても、または複雑な傾斜構成の場合でも、簡単に転倒することなく、意外性があってしかも安定した走行を得ることができる。なお２つの後輪の間に電動モータを配置し、電動モータと前輪との間に１以上のバッテリを配置すると更に安定した走行を得ることができる。
【００１２】
また、遠隔制御走行玩具の前輪の角度は設定変更が可能であり、前輪と遊戯盤との間の動摩擦抵抗が後輪と遊戯盤との間の動摩擦抵抗よりも小さくなるように、前輪及び後輪の輪部が形成されている。このような遊戯玩具装置を用いると、遠隔制御走行玩具の動きを複雑にすることができ、より意外性のある動きを実現することができる。なお、前輪と遊戯盤との間の動摩擦抵抗が小さすぎると、遠隔制御走行玩具が走行中にスリップし易くなり、遠隔制御走行玩具の制御性が低くなる。そこで、前輪の輪部を低密度ポリエチレンと高密度ポリエチレンとを含有するエチレン重合体で形成する。このようにすると、低密度ポリエチレンの存在により、遠隔制御走行玩具の前輪の表面粗さが粗くなるため、低密度ポリエチレンを全く含有しない場合よりも前輪の動摩擦抵抗を高くすることができ、遠隔制御走行玩具の制御性を維持することができる。なお、発明者が研究した結果、エチレン重合体中の前記低密度ポリエチレンの含有量が３０重量パーセント以下にすると、最も効果的に遠隔制御走行玩具の制御性を維持することができることが判った。
【００１３】
使用する遊戯盤は、原則的にはどのようなものでもよい。しかしながら後輪の直径が異なる点を生かして、より意外性のある走行を得るためには、遊戯盤の走行面にも工夫を施すことが好ましい。例えば、走行面が周方向に連続し且つ中央部に向かうに従って設置面からの高さが低くなる形状を有している場合には、前記前輪及び／または前記後輪が完全に入り得る大きさを有し且つ遠隔制御走行玩具が自力で脱出可能な深さを有する凹部を形成する。凹部の大きさ及び深さ並びに遠隔制御走行玩具の速度によって、遠隔制御走行玩具が走行不能な状態になったり、凹部から脱出できない状況になる。このような状況は、前輪及び後輪の全部が凹部内に嵌り、しかも遠隔制御走行玩具の速度が必要十分な速度まで上昇し得ない場合や、車輪の一部または全部が凹部内に嵌った状態で、しかも車体または車体に実装した外装が凹部の内壁に引っ掛かって前進できなくなた場合等に生じる。中央部にこのような凹部を形成すると、後輪の片方が凹部に入ったような場合に、遠隔制御走行玩具が急に逆転するような動きをすることもあり、遠隔制御走行玩具にさらに意外性のある動きを与えることができる。また凹部から脱出できない状態を勝負の敗因理由とすれば、下方のエリアで逃げ回っている際に凹部に落下してしまう事態も発生するので、逃げ回るだけの面白くないゲーム展開になることがない。
【００１４】
なお発明者が研究の結果、凹部の内周面と設置面との間の角度を９３±１°の角度範囲のものとすると、片方の後輪が凹部に落ちた際の動きに意外性のある動きが生まれる可能性が高いことが分かった。
【００１５】
また走行面の主要部を、凹部に隣接して第１の曲率半径を有する第１の傾斜面と、第１の傾斜面の外側に連続して曲率半径が無限大に近い第２の曲率半径を有する第２の傾斜面とから構成し、第２の傾斜面の設置面からの角度が３２．２°〜４２．２°の範囲になるようにすると、後輪の直径寸法が異なる遠隔制御走行玩具が第１の傾斜面に入った際に、急に第２の傾斜面の上方に向かって登って行く等の予想外の動きが得られることが分かった。したがってこの曲率半径及び角度範囲には、技術的に見て顕著な効果がある。
【００１６】
また走行面を、凹部に隣接して第１の曲率半径を有する第１の傾斜面と、第１の傾斜面の外側に連続して曲率半径が無限大に近い第２の曲率半径を有する第２の傾斜面と、第２の傾斜面の外側に連続して曲率半径が第１の曲率半径よりも小さい第３の曲率半径を有する第３の傾斜面と、第３の傾斜面の外側に連続して曲率半径が第３の曲率半径よりも小さい第４の曲率半径を有する第４の傾斜面とを有するものとし、第２の傾斜面、第１の傾斜面、第３の傾斜面、第４の傾斜面の順に幅寸法を小さくし、第２の傾斜面の設置面からの角度を３２．２°〜４２．２°の範囲にすると、遠隔制御走行玩具の２つの後輪の直径寸法を変えたことの効果を更に際立たせることができる。
【００１７】
そして更に第３の傾斜面と設置面との間の角度を４８±２°の角度範囲にしたり、第４の傾斜面と設置面との間の角度が８９±１°の角度範囲にしたり、第４の傾斜面の外側にほぼ水平な水平面を設けたりすると、それぞれ遠隔制御走行玩具に意外性のあるまたは予想外の動きをさせることができる。なおこれらの角度範囲の組合せは、遠隔制御走行玩具の車輪の条件等に応じて適宜に変更すればよい。なお本発明で用いる遠隔制御走行玩具及び遊戯盤は、それ自体でも技術的に優れた特徴を持つものであり、部品点数の少ない簡単な構成でありながら、大人も子供も楽しく遊ぶことができる。
【発明の効果】
【００１８】
本発明のように、遠隔制御走行玩具の２つの後輪の直径寸法を異ならせた上で、前輪を一輪にすると、走行面の状態に応じて今までには体験したことのない意外性のある動きを遠隔制御走行玩具に行わせることができるので、単なる遠隔制御と比べて、制御が可能であるにも拘わらず意外性の高い動きを遠隔制御走行玩具に行わせて遊ぶことができる。特に、相手の遠隔制御走行玩具と戦うときだけでなく、相手の玩具から逃げる場合でも、この意外性を積極的に利用すれば、スリルに溢れた遊びを体験することができる利点が得られる。
【００１９】
また遠隔制御装置として、通常の速度で電動モータを回転させる信号を出力する際に操作されるスイッチと、通常の速度よりも速い速度で電動モータを回転させる加速信号を出力する際に操作される加速スイッチとを備えたシンプルなものを用いると、遠隔制御走行玩具が意外性のある動きをしても、またスピードアップを図っても、ほとんど制御性を低下させることがないという利点が得られる。
【００２０】
また電動モータと該電動モータに接続される１以上のバッテリを車体に搭載し、１以上のバッテリをその長軸が、車体の前後方向に延びる車体の中心線と交差するように横置き配置すると、重心が低くなるだけでなく、車体の横方向の動きに対して安定した動作が得られる。したがって遊戯盤の走行面の走行面の傾斜がきつかったり、または複雑な場合でも、簡単に転倒することなく、意外性があってしかも安定した走行を得ることができる利点がある。
【００２１】
さらに、遠隔制御走行玩具の前輪を少なくとも低密度ポリエチレンを含有するポリオレフィンで形成すると、遠隔制御走行玩具の前輪の表面粗さが粗くなり、低密度ポリエチレンを全く含有しない場合よりも前輪の摩擦係数を高くすることができるため、遠隔制御走行玩具の制御性を維持することができる。
【発明を実施するための最良の形態】
【００２２】
以下図面を参照して本発明の実施の形態の一例を詳細に説明する。
【００２３】
図１（Ａ）乃至（Ｆ）は、本発明の遠隔制御走行玩具を用いた遊戯玩具装置に用いるのに適した本発明の実施の形態の遠隔制御走行玩具１の平面図、底面図、正面図、背面図、左側面図及び右側面図である。この遠隔制御走行玩具１は、車体３の前方に１つの前輪５を有し、車体３の後方に２つの後輪７及び９を有している。３つの車輪のうち前輪５の直径が一番小さい。そして２つの後輪７及び９は、その直径寸法が異なっている。ちなみに後輪９の直径寸法と後輪７の直径寸法は、後輪９の直径寸法を１としたときに、ほぼ１：０．８の関係にある。この実施の形態の遠隔制御走行玩具の形態及び構造に関して見ると、後輪の直径寸法の比は、直径寸法の大きい方の後輪の直径を１としたときに、１：０．７３８〜１：０．７７５の範囲にあることが望ましい。これらの範囲であれば、直径寸法が異なることが走行の障害にならず、しかも意外性のある走行特性を得ることができる。なお好ましい比率は、上記の例に限定されず、車体の形状及び大きさ、後輪の素材、遊戯盤の大きさ、傾斜面の角度及び素材等の組み合わせによって変化する。
【００２４】
前輪５が装着されている前輪支持アーム１１は、回動中心１３を中心にして所定の角度範囲内で角度の設定変更が可能である。走行中に角度の設定が変わらないようにするためには、回動部分にクリック機構を設けておいてもよい。
【００２５】
車体３の上面及び背面には、外装パーツを取りつけるための、６個の被取付部１５乃至２５を備えている。これらの被取付部１５乃至２５には、図２に示す４種類の外装パーツ２７乃至３３が装着可能である。なおこれらの外装パーツ２７乃至３３は、装着することが必須ではなく、好みに応じて装着すればよい。また図２に示した形状以外の外装パーツを装着してもよいのは勿論である。
【００２６】
図３には、電池カバー３５を外した状態の遠隔制御走行玩具１の底面図を示してある。この遠隔制御走行玩具では、２つの後輪７及び９の間に位置する車体３の後方エリアに電動モータを配置している。そして電動モータと前輪との間の前方エリア３Ｂに２本のバッテリ３７を配置している。なお無線通信回路及び電動モータの制御回路の回路基板は、後方エリア３Ａ及び前方エリア３Ｂのいずれに配置してもよいが、この例では後方エリア３Ａに回路基板を配置している。２本のバッテリ３７は、その長軸が２つの後輪７及び９が並ぶ方向と同じ方向に向かって延びるように、または車体の前後方向に延びる中心線とその長軸が交差するように横置きに配置されている。具体的には、後輪７及び９の車軸とバッテリ３７の長軸が平行になるように、バッテリ３７が配置されている。このようにすると重心が低くなるだけでなく、車体の横方向の動きに対して安定した動作が得られる。したがって遊戯盤の走行面の傾斜が急であったり、または複雑な傾斜構成を有する場合でも、簡単に転倒することなく、意外性があってしかも安定した走行を得ることができる。
【００２７】
また、遠隔制御走行玩具１の前輪５の角度は設定変更が可能となるように調整されている。具体的には、前輪５が遠隔制御走行玩具１の長手方向の軸線に対して±４５度の角度の範囲で回転可能に被取付部１５に固定されている。そして、前輪５と遊戯盤との間の動摩擦抵抗は、後輪７，９と遊戯盤との間の動摩擦抵抗よりも小さくなるように形成されており、本実施例では、前輪５の輪部がエチレン重合体で形成され、後輪７，９はゴム系材料で形成されている。このようにすると、遠隔制御走行玩具の動きを複雑にすることができ、より意外性のある動きを実現することができる。本実施例では、前輪５の輪部は低密度ポリエチレンと高密度ポリエチレンとを含有するエチレン重合体で形成されており、具体的にはエチレン重合体中の低密度ポリエチレンの含有量が３０重量パーセント以下にしてある。低密度ポリエチレンの存在により、前輪５の輪部の表面粗さが粗くなるため、低密度ポリエチレンを全く含有しない場合よりも前輪の動摩擦抵抗を高くすることができ、遠隔制御走行玩具の制御性を維持することができる。なお、最も効果的に遠隔制御走行玩具の制御性を維持するため、本実施例では、前輪５の輪部の材料として、低密度ポリエチレンが２０重量パーセント、高密度ポリエチレンが８０重量パーセントの割合で調整されたエチレン重合体が用いられている。
【００２８】
図４は、本実施の形態で使用する遠隔制御装置３９の一例の外観を示す斜視図である。この遠隔制御装置３９は、通常の速度で電動モータを回転させるための信号を出力する際に操作されるスイッチＳＷ１と、通常の速度よりも速い速度で電動モータを回転させる加速信号を出力する際に操作される加速スイッチＳＷ２の２つの制御スイッチのみを備えたシンプルな構成を有している。加速スイッチＳＷ２を押したときの速度は、スイッチＳＷ１を押したときの速度の数倍に設定してある。スイッチＳＷ１を押し続けるとほぼ一定の速度で走行し、スイッチＳＷ１を離すと、電動モータへの通電が停止されて速度が減少する。そしてスイッチＳＷ１が押されている場合に、加速スイッチＳＷ２を押したときには、通常の回転速度から予め定めた加速度で急加速する。加速スイッチＳＷ２からの指令（加速信号）は、スイッチＳＷ１を押している間だけ送信されるようにしてもよいが、スイッチＳＷ１が押されていないときに加速スイッチＳＷ２のみが押された場合でも加速信号が送信されるようにしてもよい。遠隔制御は無線や赤外線のいずれを用いてもよい。このようなシンプルな遠隔制御装置３９を用いる場合には、ゲーム開始前に前輪５をどのような角度に設定するかが、後の制御に大きく影響するので、前輪５の角度の設定も遊びの一部となる。
【００２９】
図５（Ａ）乃至（Ｃ）は、本実施の形態で用いる遊戯盤４１の斜視図、正面図及び平面図である。そして図６（Ａ）は図５（Ｃ）のＡ−Ａ線断面図であり、図６（Ｂ）は遊戯盤４１の半部断面図の詳細を示す図である。この遊戯盤４１は、走行面４２が周方向に連続し且つ中央部に向かうに従って設置面４０からの高さが低くなる形状を有している。そして中央部に遠隔制御走行玩具１が完全に入り込む大きさを有し且つ遠隔制御走行玩具１が自力で脱出可能な深さを有する凹部４３が形成されている。なおこの凹部４３は、前輪５及び／または後輪７，９が完全に入り得る大きさを有し且つ遠隔制御走行玩具１が自力で脱出可能な深さを有するものであればよく、この例に限定されるものではない。中央部にこのような凹部４３を形成すると、後輪７または９の片方が凹部４３に入ったような場合に、遠隔制御走行玩具１が急に逆転するような動きをすることもあり、遠隔制御走行玩具１にさらに意外性のある動きを与えることができる。また凹部４３の大きさ及び深さ並びに遠隔制御走行玩具１の速度によって、遠隔制御走行玩具１が走行不能な状態になったり、凹部４３から脱出できない状況になる。このような状況は、前輪５及び後輪７，９の全部が凹部４３内に嵌り、しかも遠隔制御走行玩具１の速度が必要十分な速度まで上昇し得ない場合や、車輪５，７または９の一部または全部が凹部４３内に嵌った状態で、しかも車体３または車体３に実装した外装が凹部の内壁に引っ掛かって前進できなくなた場合等に生じる。
【００３０】
図６（Ｂ）に示すように、凹部４３の内周面と設置面４０との間の角度θｏを９３±１°の角度範囲のものとすると、片方の後輪７または９が凹部４３に落ちた際の動きに意外性のある動きが生まれる可能性が高い。
【００３１】
また走行面４２は、凹部４３に隣接して第１の曲率半径Ｒ１（１１８．５）を有する第１の傾斜面４２Ａと、第１の傾斜面４２Ａの外側に連続して曲率半径が無限大に近い第２の曲率半径を有する第２の傾斜面４２Ｂと、第２の傾斜面４２Ｂの外側に連続して曲率半径が第１の曲率半径よりも小さい第３の曲率半径Ｒ２（９８．５）を有する第３の傾斜面４２Ｃと、第３の傾斜面４２Ｃの外側に連続して曲率半径が第３の曲率半径よりも小さい第４の曲率半径Ｒ３（１８．５）を有する第４の傾斜面４２Ｄとを有する。そしてこの例では、第２の傾斜面４２Ｂ、第１の傾斜面４２Ａ、第３の傾斜面４２Ｃ、第４の傾斜面４２Ｄの順に幅寸法（斜面に登って行く方向の寸法）を小さく設定してある。そして第２の傾斜面４２Ｂの設置面４０からの角度θは、３２．２°〜４２．２°の範囲に設定する。具体的には、この角度を３７．２°に設定してある。
【００３２】
また第３の傾斜面４２Ｃと設置面４０との間の角度θ１は、４８±２°の角度範囲にするのが好ましく、第４の傾斜面４２Ｄと設置面４０との間の角度θ２は８９±１°の角度範囲にするのが好ましい。さらにこの実施の形態では、第４の傾斜面４２Ｄの外側にほぼ水平な水平面４２Ｅを設けている。
【００３３】
上記のように走行面４２を決定すると、遠隔制御走行玩具１により意外性のあるまたは予想外の動きをさせることができる。
【００３４】
図７は、遊戯盤４１の走行面４２上に本実施の形態の遠隔制御走行玩具１を置いた状態を示している。遠隔制御走行玩具１Ａ〜１Ｃは、それぞれ傾斜面に対する傾き方が異なっている。この傾き方が、遠隔制御走行玩具に意外性のある動きを与えるのである。
【００３５】
本実施の形態の遊戯玩具装置で遊ぶ場合には、例えば図８（Ａ）に示すように、相手の遠隔制御走行玩具に後ろまたは横から体当たりをして、相手の遠隔制御走行玩具を遊戯盤４１の外に押し出した場合を勝利と定めてもよい。また図８（Ｂ）に示すように、走行面の中央の凹部４３に相手の遠隔制御走行玩具を落下させて凹部４３から脱出できない状態にした場合を勝利と定めてもよく、勝利条件は任意に定めればよい。
【００３６】
なお本実施の形態では、電動モータ、前輪、後輪及び外装パーツはそれぞれ交換可能に装着してある。したがって戦略に応じて、これらのパーツを交換して遊べば、さらに遊戯者の興味が高まる。
【００３７】
上記の実施の形態では、凹部４３として断面形状が円形のものを用いたが、凹部４３の断面形状は円形に限られず、楕円形やその他の形状を有するものでもよいのは勿論である。
【００３８】
なお本発明は、走行玩具の複数の車輪の一部の直径を異ならせることにより、車体を傾斜させて、意外性のある走行を得るという技術的思想を基礎にして構成されるものである。この技術的思想は、三輪車だけではなく、四輪車、またはそれ以上の数の車輪を有する走行玩具にも当然にして適用可能なものである。
【図面の簡単な説明】
【００３９】
【図１】（Ａ）乃至（Ｆ）は、本発明の遠隔制御走行玩具を用いた遊戯玩具装置に用いるのに適した本発明の実施の形態の遠隔制御走行玩具の平面図、底面図、正面図、背面図、左側面図及び右側面図である。
【図２】外装パーツの実装を説明するために用いる分解斜視図である。
【図３】電池カバーを外した状態の遠隔制御走行玩具の底面図を示した図である。
【図４】本実施の形態で使用する遠隔制御装置の一例の外観を示す斜視図である。
【図５】（Ａ）乃至（Ｃ）は、本実施の形態で使用する遠隔制御装置の一例の外観を示す斜視図である。
【図６】（Ａ）は図５（Ｃ）のＡ−Ａ線断面図であり、（Ｂ）は遊戯盤の半部拡大断面図の詳細を示す図である。
【図７】遊戯盤の走行面上に本実施の形態の遠隔制御走行玩具を置いた状態を示す図である。
【図８】（Ａ）及び（Ｂ）は、それぞれ本実施の形態の遠隔制御走行玩具を用いた遊戯玩具装置の遊び方の例を説明するために用いる図である。
【符号の説明】
【００４０】
１  遠隔制御走行玩具
３  車体
５  前輪
７，９  後輪
１１  前輪支持アーム
３７  バッテリ
４１  遊戯盤
４３  凹部
【図１】
2004313751.tif 000003
【図２】
2004313751.tif 000004
【図３】
2004313751.tif 000005
【図４】
2004313751.tif 000006
【図５】
2004313751.tif 000007
【図６】
2004313751.tif 000008
【図７】
2004313751.tif 000009
【図８】
2004313751.tif 000010
【手続補正書】
【提出日】平成16年3月24日(2004.3.24)
【手続補正１】
【補正対象書類名】明細書
【補正対象項目名】００３９
【補正方法】変更
【補正の内容】
【００３９】
【図１】（Ａ）乃至（Ｆ）は、本発明の遠隔制御走行玩具を用いた遊戯玩具装置に用いるのに適した本発明の実施の形態の遠隔制御走行玩具の平面図、底面図、正面図、背面図、左側面図及び右側面図である。
【図２】外装パーツの実装を説明するために用いる分解斜視図である。
【図３】電池カバーを外した状態の遠隔制御走行玩具の底面図を示した図である。
【図４】本実施の形態で使用する遠隔制御装置の一例の外観を示す斜視図である。
【図５】（Ａ）乃至（Ｃ）は、本実施の形態で使用する遊戯盤の一例の外観を示す斜視図である。
【図６】（Ａ）は図５（Ｃ）のＡ−Ａ線断面図であり、（Ｂ）は遊戯盤の半部拡大断面図の詳細を示す図である。
【図７】遊戯盤の走行面上に本実施の形態の遠隔制御走行玩具を置いた状態を示す図である。
【図８】（Ａ）及び（Ｂ）は、それぞれ本実施の形態の遠隔制御走行玩具を用いた遊戯玩具装置の遊び方の例を説明するために用いる図である。